(57)【要約】【課題】一方の通信手段と他方の通信手段とが通信ポートを介して双方向通信可能に接続されたデータ通信装置において、制御データの通信速度の向上及び通信時間の短縮を図る。【解決手段】ディスク側マイコン１１とＴＶ側マイコン２１とがシリアル通信ポート１１ａ，２１ａを介して双方向通信可能に接続されており、例えば出力側であるディスク側マイコン１１の通信ホーと１１ａからハイ（Ｈ）、ロー（Ｌ）、ハイインピーダンス（Ｈｉｚ）を出力することにより、一度の通信で３値の制御データを送信し、受信側であるＴＶ側マイコン２１では、この３値の制御データをＡＤポートにて受信し、それぞれのレベルに応じて「０」、「１」、「２」の３値の制御データに変換する。【選択図】図１
2007129395.tif 000002
【特許請求の範囲】
【請求項１】
ディスク装置の制御手段とテレビジョン受信装置の制御手段とがシリアル通信ポートを介して双方向通信可能に接続されたディスク装置内蔵型テレビジョン受信装置において、
出力側の制御手段では、前記通信ポートからハイ、ロー、ハイインピーダンスを出力することにより、一度の通信で３値の制御データを送信し、受信側の制御手段では、前記３値の制御データをＡＤポートにて受信することを特徴とするディスク装置内蔵型テレビジョン受信装置。
【請求項２】
一方の通信手段と他方の通信手段とが通信ポートを介して双方向通信可能に接続されたデータ通信装置において、
出力側の通信手段では、前記通信ポートからハイ、ロー、ハイインピーダンスを出力することにより、一度の通信で３値のデータ送信を行うことを特徴とするデータ通信装置。
【請求項３】
前記通信ポートがシリアルポートであることを特徴とする請求項２に記載のデータ通信装置。
【請求項４】
受信側の通信手段では、前記３値の送信データをＡＤポートにて受信することを特徴とする請求項２に記載のデータ通信装置。
【発明の詳細な説明】
【技術分野】
【０００１】
本発明は、一方の通信手段と他方の通信手段とが通信ポートを介して双方向通信可能に接続されたデータ通信装置に係り、より詳細には、通信手段間のデータ通信方式に関する。
【背景技術】
【０００２】
例えば、ディスク装置の制御手段とテレビジョン受信装置の制御手段とがシリアル通信ポートを介して双方向通信可能に接続されたディスク装置内蔵型テレビジョン受信装置では、制御手段間の通信、特に制御データの通信は「０」と「１」の２値通信方式を採用している。
【０００３】
この場合、伝送方式としては、１本の信号線を利用して通信を行う例えばＲＳ−２３２ＣやＲＳ−４２２等のシリアル伝送方式と、複数の信号線を使ってデータをまとめて伝送する例えばセントロニクス（centronics）やＳＣＳＩ（Small Computer System Interface）、ＩＤＥ（Integrated Drive Electronics）等のパラレル伝送方式とがある。
【０００４】
ところで、上記したように制御データの通信は、２値通信方式が一般的であるが、例えば１つの入力ポートの状態を３値以上の状態として判別することができる入力値判定回路が提供されている（例えば、特許文献１参照）。この入力値判定回路は、抵抗とコンデンサからなる信号遅延手段と、この遅延信号を読み込み基準値と比較して値の判定を行う判定手段とからなる回路であり、入力信号は、遅延手段である回路を通して判定手段の入力ポートに接続されている。入力信号は、遅延手段により信号の変化が遅延されて入力ポートに入力するため、判定手段において複数回入力値を読み込むことにより、この遅延信号を３値以上の状態として捉えることができるものである。
【０００５】
また、センサ入力等のアナログ電圧の入力用に入力スレッシュホールド電圧を可変できるアナログ入力ポートを用いたワンチップ・マイクロコンピュータにおいて、複数のアナログ入力ポートで複数の入力スレッシュホールド電圧を少ない素子で実現した入力回路なども提案されている（例えば、特許文献２参照）。この入力回路は、時分割で基準電圧設定レジスタで設定した電圧をマルチプレクサから出力し、スイッチを開閉することにより、コンデンサにそれぞれ異なった基準電圧を保持し、センサ入力等のアナログ入力端子をそれぞれ異なった入力スレッシュホールド電圧に設定するようになっている。このように入力スレッシュホールド電圧を異なった値に設定することで、各アナログ入力端子での判定レベルを異ならせることが可能となる。
【特許文献１】特開平１１−３５５１０８号公報
【特許文献２】特開平６−１１１０３３号公報
【発明の開示】
【発明が解決しようとする課題】
【０００６】
しかしながら、上記特許文献１に記載のものは、３値の状態を判別するものであり、例えば入力の種別判断とか、スイッチ判断などに使われており、制御データ等のデータ通信には全く使用されていない。また、上記特許文献２に記載のものは、複数のアナログ入力ポートに対して複数の入力スレッシュホールド電圧を設定可能となっているが、１つのアナログ入力ポートについては１つの入力スレッシュホールド電圧によって判断される２値通信方式となっている。
【０００７】
すなわち、上記特許文献１，２も含め、通信手段間で制御データの送受信を行う場合、従来は全て２値通信方式を採用しており、制御データを３値通信方式で送受信するものは全く提案されていない。
【０００８】
本発明はかかる点に着目して創案されたもので、その目的は、一方の通信手段と他方の通信手段とが通信ポートを介して双方向通信可能に接続されたデータ通信装置において、制御データの通信速度の向上及び通信時間の短縮を図ったデータ通信装置及びディスク装置内蔵型テレビジョン受信装置を提供することにある。
【課題を解決するための手段】
【０００９】
上記課題を解決するため、本発明のデータ通信装置は、一方の通信手段と他方の通信手段とが通信ポートを介して双方向通信可能に接続されたデータ通信装置において、出力側の通信手段では、前記通信ポートからハイ（Ｈ）、ロー（Ｌ）、ハイインピーダンス（Ｈｉｚ）を出力することにより、一度の通信で３値のデータ送信を行うことを特徴とする。ここで、前記通信ポートはシリアルポートである。また、受信側の通信手段では、前記３値の送信データをＡＤポートにて受信する。
【００１０】
具体例を挙げて説明すると、ディスク装置の制御手段とテレビジョン受信装置の制御手段とがシリアル通信ポートを介して双方向通信可能に接続されたディスク装置内蔵型テレビジョン受信装置において、出力側の制御手段では、前記通信ポートからハイ（Ｈ）、ロー（Ｌ）、ハイインピーダンス（Ｈｉｚ）を出力することにより、一度の通信で３値の制御データを送信し、受信側の制御手段では、前記３値の制御データをＡＤポートにて受信する。ここで、制御データとしては、例えば「ディスクが装填されていることを示すデータ」、「ディスクが回転していることを示すデータ」、「音声言語や字幕言語を示すデータ」等の各種制御データが含まれる。
【００１１】
このように、本発明によれば、制御データの送信を従来の２値通信方式から３値通信方式に変更することで、送信する制御データが同じ情報量であっても、その情報量の制御データを送信するための通信量を約３０％圧縮できるため、通信時間を短縮することができ、ひいては通信速度も向上することになる。
【００１２】
ところで、本発明では出力側のポートとして通信ポートを使用しているが、ＡＤポートを使用することで３値の状態を検知して出力することが可能である。しかし、通常のマイクロコンピュータで使用されるＡＤポートは、その状態を検知するために使用されるものであり、通信ポートに比べると送信速度が遅い。そのため、制御データのような送信速度が要求されるデータの通信には向いていない。従って、本発明では、出力側のポートとして、通信速度が速く、かつ精度的にも優れている通信ポートを使用している。また、本発明では、通信ポートがシリアルポートである場合に特に有効であるが、パラレルポートであっても、各ポートの通信を３値通信方式とすることで、全体としての通信速度をさらに向上させることが可能である。
【発明の効果】
【００１３】
本発明によれば、制御データの送信を従来の一般的な２値通信方式から３値通信方式に変更することで、送信する制御データが同じ情報量であっても、その情報量の制御データを送信するための通信量を約３０％圧縮できるため、通信時間を短縮することができ、ひいては通信速度も向上させることができる。
【発明を実施するための最良の形態】
【００１４】
以下、本発明の実施の形態について、図面を参照して説明する。
【００１５】
図１は、本発明のデータ通信装置を搭載したディスク装置（例えばＤＶＤ装置）内蔵型テレビジョン受信装置の一実施形態の要部の電気的構成を示す機能ブロック図である。ただし、本実施形態では、ＤＶＤ装置によるディスク再生処理や、テレビジョン受信装置による映像及び音声の信号処理については従来周知の処理であるので、ここではそれぞれディスク信号処理部及びＴＶ信号処理部として簡単な機能ブロックで示している。
【００１６】
すなわち、本実施形態のディスク装置内蔵型テレビジョン受信装置は、ディスク１３を再生するディスク制御系１０と、ＴＶ制御系２０とが１つの筐体内に機能的に連係されて格納されたもので、ディスク制御系１０全体を制御するディスク側マイコン（ディスク側制御手段）１１と、ＴＶ制御系２０全体を制御するＴＶ側マイコン（テレビ側制御手段）２１とが通信ポート１１ａ，２１ａを介した信号線３５によって双方向にシリアル通信可能に接続された構成となっている。
【００１７】
ディスク側マイコン１１は、本体内に装填されたディスク１３の種類を判別する判別処理や、ディスクの種類に応じた再生処理を行うディスク信号処理部１２を制御する。ディスク信号処理部１２の出力は、切換回路２５を介してＣＲＴまたはディスプレイ等の表示部２６に接続されている。また、ディスク信号処理部１２は、ディスク装置側の各種設定を行うためのセットアップ画面を含む各種設定画面を表示するためのＯＳＤ回路１２ａを備えている。
【００１８】
一方、テレビジョン信号を受信するチューナ回路２２の出力はＴＶ信号処理部２４に接続されており、ＴＶ信号処理部２４の出力は、切換回路２５を介してＣＲＴまたはディスプレイ等の表示部２６に接続されている。また、ＴＶ信号処理部２４の出力は、増幅器２７を介して内部スピーカ２８に接続されている。ＴＶ信号処理部２４は、テレビジョン受信装置側の各種設定を行うためのセットアップ画面を含む各種設定画面を表示するためのＯＳＤ回路２４ａを備えている。
【００１９】
ＴＶ側マイコン２１は、チューナ回路２２を介して受信したテレビジョン信号を映像信号や音声信号に復号し、映像信号を表示部２６に表示するとともに音声信号を内部スピーカ２８から出力するＴＶ信号処理部２４を制御する。
【００２０】
また、ＴＶ側マイコン２１には、リモコン４１からの各種操作信号を受信する受信部３１の出力が接続されている。ＴＶ側マイコン２１は、このリモコン４１から送信されてくる各種操作信号に基づいて、ディスク制御系１０及びＴＶ制御系２０の動作制御を行うようになっている。すなわち、本実施形態では、ディスク制御系１０の電源オン、オフを含む全ての制御データが、ＴＶ側マイコン２１を通じてディスク側マイコン１１に送信されるようになっている。また、ディスク側マイコン１１からＴＶ側マイコン２１には、例えば「ディスクが装填されていることを示すデータ」、「ディスクが回転していることを示すデータ」、「音声言語や字幕言語を示すデータ」等の各種制御データが送信される。さらに、切換回路２５の切り換え制御はＴＶ側マイコン２１によって行われるようになっている。
【００２１】
図２は、ディスク側マイコン１１とＴＶ側マイコン２１との接続部分をより詳細に示した図であり、ここでは、ディスク側マイコン１１からＴＶ側マイコン２１に制御データを送信する場合の各ポートの構成例を示しているが、ＴＶ側マイコン２１からディスク側マイコン１１に制御データを送信する場合も全く同じ構成例である。
【００２２】
すなわち、ディスク側マイコン１１の通信ポート１１ａには、Ｈ、Ｌ、Ｈｉｚの３値を出力するための出力信号線１１１が接続されており、この出力信号線１１１は、抵抗Ｒ（１０ｋΩ）を介して電源Ｖｃｃ（５Ｖ）に接続されているとともに、抵抗Ｒ（１０ｋΩ）を介してアース電位（ＧＮＤ）に接続された構成となっている。
【００２３】
そして、この出力信号線１１１に５ＶのＨ信号を与えると、通信ポート１１ａからは５Ｖのアナログ信号電圧が送信され、出力信号線１１１をＨｉｚ（抵抗∞）とすると、通信ポート１１ａからは２つの抵抗Ｒ，Ｒの分圧電圧である２．５Ｖのアナログ信号電圧が送信され、出力信号線１１１に０ＶのＬ信号（グランドレベルの信号）を与えると、通信ポート１１ａからは０Ｖのアナログ信号電圧が送信される。
【００２４】
従って、受信側のＴＶ側マイコン２１では、この３つのレベルの信号電圧をＡＤポートで受信し、それぞれのレベルに応じて、０Ｖのアナログ信号電圧を「０」、２．５Ｖの信号電圧を「１」、５Ｖの信号電圧を「２」に変換することで、３値のデータ通信を行うことができる。
【００２５】
ここで、２値通信方式と、本発明の３値通信方式による任意のデータの送信例について、図３を参照して具体的に説明する。
【００２６】
図３に示すように、８６Ｈは、２進数では「１０１０１１０」の７桁の数字となり、３進数では「２１００１」の５桁の数字となる。つまり、送信回数は２進数では７回、３進数では５回となり、３進数の方が２回分の送信が不要となる。このことは、送信する制御データが同じ情報量であっても、その情報量の制御データを送信するための通信量を約３０％圧縮できることになる。これにより、通信時間を短縮することができ、ひいては通信速度も向上することになる。
【００２７】
なお、上記実施形態では、出力側の通信ポートからＨ、Ｌ、Ｈｉｚの３値を出力する構成としているが、出力側の電圧をさらに細分化することにより、４値、５値等による通信も可能である。
【００２８】
また、上記実施形態では、受信側のポートをＡＤポートとして説明しているが、もちろん出力側から送信される３値をそれぞれ受信する専用のポートを作製しておいてもよい。
【００２９】
さらに、上記実施形態では、本発明のデータ通信装置をディスク装置内蔵型テレビジョン受信装置に適用した場合について説明しているが、制御手段である一方のマイコンと他方のマイコンとが通信ポートを介して信号線で接続されている構成の全ての電子機器に本発明を適用することが可能である。
【図面の簡単な説明】
【００３０】
【図１】本発明のデータ通信装置を搭載したディスク装置内蔵型テレビジョン受像機の要部の電気的構成を示す機能ブロック図である。
【図２】ディスク側マイコンとＴＶ側マイコンとの接続ポート部をより詳細に示した説明図である。
【図３】２値通信方式と３値通信方式による任意のデータの送信例を示す説明図である。
【符号の説明】
【００３１】
１０  ディスク制御系
１１  ディスク側マイコン
１１ａ  通信ポート
１２  ディスク信号処理部
１２ａ  ＯＳＤ回路
１３  ディスク
２０  ＴＶ制御系
２１  ＴＶ側マイコン
２１ａ  通信ポート
２２  チューナ回路
２４  ＴＶ信号処理部
２４ａ  ＯＳＤ回路
２５  切換回路
２６  表示部
２７  増幅器
２８  スピーカ
３０  受信部
３５  バス通信
４１  リモコン
【図１】
2007129395.tif 000003
【図２】
2007129395.tif 000004
【図３】
2007129395.tif 000005